(57)【要約】      （修正有）【課題】家具のレイアウトを容易に変更できるようにするレイアウト用家具パネルを提供する。【解決手段】レイアウト用家具パネル１０は、例えば、厚さが約７ｍｍのスチレンボードから形成され、実物大の家具を模した形状とされている。レイアウト用家具パネル１０には、当該パネルが模した家具の名称を示す名称情報１６と、当該家具の実サイズ（縦横の長さ）を示すサイズ情報１８が、それぞれ記載されている。利用者は、レイアウト家具パネル１０の位置を変更し、あるいは複数のレイアウト家具パネル１０を組み合わせることで、モデルルーム内の家具のレイアウトを適宜変更することができる。【選択図】図１
0003186345.tif 000002
【実用新案登録請求の範囲】
【請求項１】
居室内に配置するための略平板状のレイアウト用家具パネルであって、家具を模した形状及びサイズを有しており、かつ、前記家具の種別を示す種別情報が記されていることを特徴とするレイアウト用家具パネル。
【請求項２】
前記種別情報は、前記家具の名称を示す名称情報であることを特徴とする、請求項１記載のレイアウト用家具パネル。
【請求項３】
前記家具のサイズを示すサイズ情報が、前記名称情報と同じ側の面に記載されていることを特徴とする、請求項２記載のレイアウト用家具パネル。
【請求項４】
前記種別情報は、前記家具のタイプを示す画像であることを特徴とする、請求項１記載のレイアウト用家具パネル。
【考案の詳細な説明】
【技術分野】
【０００１】
本考案は、室内の家具レイアウトを示すために用いられる家具パネルに関する。
【背景技術】
【０００２】
マンション等の不動産を販売するにあたっては、当該マンションのモデルルームを用意し、あるいは、実際のマンションを内覧可能として、購入前の顧客が住宅の間取りや設備を確認できるようにすることが、従来から広く行われている。
【０００３】
このような、モデルルームないし内覧可能なマンション等（以下、単に「モデルルーム」と総称する。）において、テーブル、ソファといった家具は、マンションの販売業者によって用意され、所定の位置に配置されている。当該モデルルームを訪れた顧客は、このような予め用意されたモデルルームを見ることで、家具のレイアウトは確認することはできるものの、当該モデルルーム内に配置された家具のレイアウトを変更することはできなかった。
【０００４】
そこで、従来では、複数の家具の図柄が表示された例えばＡ４サイズのレイアウトシートが用意されており、顧客は、モデルルームに備え付けのパンフレットに記載の間取り図に、当該レイアウトシートを重ねることで、各部屋にどのような家具を配置できるかを確認していた。
【考案の概要】
【考案が解決しようとする課題】
【０００５】
上記従来例に係るレイアウトシートを用いることで、ある程度は家具のレイアウトの確認を行うことはできるものの、実際のモデルルームを用いたものではないため、顧客においてレイアウトをイメージすることは困難であった。
【０００６】
一方、モデルルームに備え付けられた家具を移動し、あるいは別の家具に入れ替えることで、レイアウトの確認を行うことはできるものの、その都度、家具を移動する必要があるため、頻繁に顧客が訪れるモデルルームにおいては現実的ではなかった。このため、簡単な構成で、家具のレイアウトを容易に変更できるようにすることが望まれていた。
【０００７】
本考案は、上記背景に鑑みなされたものであり、簡素な構成で、家具のレイアウトを容易に変更できるようにするレイアウト用家具パネルを提供することを目的とする。
【課題を解決するための手段】
【０００８】
本考案のレイアウト用家具パネルは、居室内に配置するための略平板状のレイアウト用家具パネルであって、家具を模した形状及びサイズを有しており、かつ、家具の種別を示す種別情報が記されている構成を備える。
【０００９】
この構成により、モデルルームの顧客または営業担当者において、家具パネルの位置を変え、若しくは、別の家具パネルを組み合わせるといったことが容易に行えるようになる。したがって、モデルルームにおいて家具のレイアウトを容易に変更することができ、顧客に対する宣伝効果を高めることができる。
【００１０】
本考案のレイアウト用家具パネルにおいて、種別情報として、家具の名称を示す名称情報をレイアウト用家具パネルに記載しても良いし、あるいは、家具のタイプを示す画像をレイアウト用家具パネルに図示しても良い。また、家具のサイズを示すサイズ情報を、名称情報と同じ側の面に記載しても良い。
【考案の効果】
【００１１】
本考案によれば、家具パネルの位置を変え、若しくは、別の家具パネルを組み合わせるといったことが容易に行えるようになり、モデルルームにおいて家具のレイアウトを容易に変更することができ、顧客に対する宣伝効果を高めることができる。
【図面の簡単な説明】
【００１２】
【図１】本考案に係るレイアウト用家具パネルの一例を示す斜視図である。
【図２】図１のレイアウト用家具パネルの平面図である。
【図３】図１のレイアウト用家具パネルをモデルルームに設置した例を示す説明図である。
【図４】レイアウト用家具パネルの別の例を示す平面図である。
【図５】レイアウト用家具パネルのさらに別の例を示す平面図である。
【考案を実施するための形態】
【００１３】
図１及び図２は、本考案の実施の一形態としてのレイアウト用家具パネルを示したものである。レイアウト用家具パネル１０は、例えば、厚さが約７ｍｍのスチレンボードから形成され、実物大の家具を模した形状とされている。例えば図１及び図２のレイアウト用家具パネル１０では、テーブル部分に相当するテーブル部１２と、４脚の椅子に対応する椅子部１４を組み合わせた、４人用のダイニングセットを模した形状とされている。
【００１４】
レイアウト用家具パネル１０には、当該パネルが模した家具の名称を示す名称情報１６と、当該家具の実サイズ（縦横の長さ）を示すサイズ情報１８が、それぞれ記載されている。図１（図２）の例では、家具名情報として「ダイニングセット（４人）」が、サイズ情報として「１８００ｍｍ」「９００ｍｍ」の文字が、それぞれ記載されている。
【００１５】
図３は、図１に示したレイアウト用家具パネル１０を、実際のモデルルーム２０に配置した例を示したものである。このレイアウト用家具パネル１０は、複数種類の家具を模したレイアウト用家具パネルの中から、利用者（例えば、モデルルームの説明担当者及び顧客）によって選択され、当該モデルルーム２０内の任意の場所に配置される。
【００１６】
レイアウト用家具パネル１０は、図１に示したダイニングセット以外にも、２人掛けソファ（図４）、パソコンデスク（図５）といった、他の家具を模したものが複数用意されており、これら複数のレイアウト用家具パネルを組み合わせて、モデルルーム２０に配置することもできる。
【００１７】
なお、本考案に係るレイアウト用家具パネルは、図示した家具に限られることはなく、例えば、ドレッサー、整理タンス、洋服タンス、テレビボード、ベッド、座卓、ローテーブル等の家具を模したレイアウト用家具パネルを用意しても良い。
【００１８】
利用者は、このレイアウト用家具パネル１０が配置されたモデルルームを見ることにより、当該モデルルーム内の家具のレイアウトを容易に認識することができ、また、レイアウト用家具パネルの位置を変更したり、別のレイアウト用家具パネルを組み合わせて配置することで、部屋のレイアウトを容易に変更することができる。実際の家具を配置する場合と異なり、レイアウト用家具パネルは利用者が持ち運び可能な程度の重量であるから、利用者によって、部屋のレイアウトを容易に変更することができる。
【００１９】
上記実施形態では図示を省略しているが、レイアウト用家具パネル１０の上面に、当該レイアウト用家具パネル１０が模している家具の画像（例えば、写真や図柄といった画像。図１の例では、４人掛けダイニングセットの写真または図柄）を、表示するようにしても良い。これにより、レイアウト用家具パネルを利用する顧客において、どのような家具が配置されているのかを容易に認識することができる。
【００２０】
本考案に係るレイアウト用家具パネルの厚さ及び材質は、上記実施形態に記載のものに限定されることはなく、１人で運搬可能な程度の重量である限り、厚さ及び材質を適宜変更しても良い。レイアウト用家具パネルの厚さは、薄すぎると運搬時に破損するおそれがあり、また、厚すぎると持ち運びが困難になることから、５ｍｍ〜３０ｍｍの範囲で、適宜定めることが好ましい。また、レイアウト用家具パネルの材質としては、上記のスチレンボードの他に、例えば、段ボールパネル、発泡スチロールパネルを用いることができる。
【００２１】
本考案に係るレイアウト家具パネルは、モデルルーム以外にも、例えば戸建て住宅においても、等しく適用することができる。
【産業上の利用可能性】
【００２２】
本考案は、例えば建売タイプのマンションにおいて、家具のレイアウトを容易に変更することのできるレイアウト用家具パネルとして有用である。
【符号の説明】
【００２３】
１０、３０、４０  レイアウト用家具パネル
１２  テーブル部
１４  椅子部
１６  名称情報
１８  サイズ情報
２０  モデルルーム
【図１】
0003186345.tif 000003
【図２】
0003186345.tif 000004
【図３】
0003186345.tif 000005
【図４】
0003186345.tif 000006
【図５】
0003186345.tif 000007